(57)【要約】【課題】多数の孔が等間隔に縦横に並んで穿設されている係止板と、孔に係止される爪片を少なくとも２個備えた係止具とからなる懸吊具において、１つの係止具に引掛棒を２個以上付設した場合、ただ１種類の係止具を用意しただけで、引掛棒を横にも縦にも並べることができるようにする。【解決手段】係止具を基板と引掛棒とで構成し、基板には２個以上の爪片を同じ方向に向けて突出させた状態で、硬質の合成樹脂で一体に成形し、基板に設けた貫通孔に２個以上の引掛棒を取外し可能に挿通し、引掛棒を正規の状態でもこれから９０度だけ回転した状態でも基板に固定可能として、爪片を下に向けた状態でも横に向けた状態でも係止板に固定可能とし、爪片を横に向けた状態では基板に止めねじを通して基板が係止具から外れることを防ぐ。【選択図】図４
2011083346.tif 000002
【特許請求の範囲】
【請求項１】
多数の孔が等間隔に縦横に並んで穿設されている係止板と、孔に係止される爪片を少なくとも２個備えた係止具とからなる懸吊具において、係止具を基板と引掛棒とで構成し、基板は１つの面上に上記爪片を同じ方向に向けて突出させた状態で、硬質の合成樹脂を材料として一体に成形されたものであり、基板は貫通孔を備えて引掛棒を取り外し可能に挿通させており、引掛棒の挿通部外面を非円形にし、基板の貫通孔を引掛棒が正規の状態と、これから９０度だけ回転した状態との２つの状態で挿通固定できる形状にして、爪片を下に向けた状態でも横に向けた状態でも係止板に固定可能とし、基板には止め孔を設けて爪片が横に向いた状態のとき、止め孔にねじを通して係止板の孔内に突出させて移動止めとすることを特徴とする懸吊具。
【請求項２】
上記引掛棒の挿通部が断面正方形とされ、上記基板の貫通孔が同じ断面正方形とされていることを特徴とする、請求項１に記載の懸吊具。
【請求項３】
上記引掛棒の挿通部が、丸棒の外面に直径方向に突出した回り止めを付設することによって非円形とされ、上記基板の貫通孔が丸孔の周りに十字状の切り込みを設けたものとされていることを特徴とする、請求項１に記載の懸吊具。
【請求項４】
基板と引掛棒とで構成される係止具であって、基板は１つの面上に少なくとも２個の爪片を同じ方向に向けて突出させた状態で、硬質の合成樹脂を材料として一体に成形したものであり、基板は貫通孔を備えて引掛棒を取外し可能に挿通させており、引掛棒の挿通部外面を非円形にし、基板の貫通孔を引掛棒が正規の状態と、これから９０度だけ回転した状態との２つの状態で挿通固定できる形状にするとともに、基板には止め孔を設けたことを特徴とする、懸吊具における係止具。
【請求項５】
上記引掛棒の挿通部が断面正方形とされ、上記基板の貫通孔が同じ断面正方形とされていることを特徴とする、請求項４に記載の係止具。
【請求項６】
上記引掛棒の挿通部が丸棒の外面に直径方向に突出した回り止めを付設することによって非円形とされ、上記基板の貫通孔が丸孔の周りに十字状の切り込みを設けたものとされていることを特徴とする、請求項４に記載の係止具。
【発明の詳細な説明】
【技術分野】
【０００１】
この発明は懸吊具に関するものである。懸吊具は、種々の物品を吊るして収納するためのものである。
【背景技術】
【０００２】
懸吊具は公知である。それは例えば特開平２−１４０１０９号公報に記載されている。この公報に記載されている懸吊具は、図１に示したように、係止板Ａと係止具Ｂとで構成されている。
係止板Ａは、多数の等しい正方形の孔Ｃが、等しい間隔をおいて縦及び横に並んで穿設されたものである。係止板Ａは、垂直に立てて使用される。
【０００３】
係止具Ｂは、図２に示したように、正方形の基板Ｄの正面がわに１個の引掛棒Ｅを突出させ、裏面がわに爪片Ｆが突設されたものである。爪片Ｆは基板Ｄ上に起立するＬ字状体で、先が下向きになって開口している。爪片Ｆは係止板Ａの孔Ｃ内へ挿入されて、基板Ｄを係止板Ａに固定する役目を果たすものである。
【０００４】
係止具Ｂでは基板Ｄの四隅にそれぞれ１個ずつの爪片Ｆが付設されているが、この公報の発明では爪片Ｆは上下に並ぶ２個の爪片が一組あれば充分だとされている。これは、固定方法として爪片Ｆを下に向けて孔Ｃ内に挿入し、その後係止具Ｂを下方ヘズラして、基板Ｄと爪片Ｆとの間に孔Ｃの下縁を挟み込むことによって、固定することだけを考えているからである。
【０００５】
引掛棒Ｅの先端は、引掛けた物品の落下を防ぐために、先端が上向きに傾斜している。上述のように係止具Ｂでは爪片が孔Ｃの下縁に係止されることだけを考えているから、引掛棒Ｅの先端は爪片Ｆの向く方向と常に逆向きに傾斜していればよい。従って、引掛棒Ｅは基板Ｄに初めから固定されていて、これを外す必要は全くない。
【０００６】
係止具Ｂでは、１つの基板Ｄ上に唯１つの引掛棒が付設されているだけである。これでは、多くの物品を効率よく吊るすことができない。そこで、１つの係止具に複数個の引掛棒を付設する試みが現れた。
【０００７】
１つの係止具に複数個の引掛棒を付設するとなると、引掛棒を縦に並べるか、それとも横に並べるかが問題となる。引掛棒を縦に並べると、上の引掛棒に吊るした物品が下の引掛棒に吊るすのを妨げることになる。また、引掛棒を横に並べると、上述のような妨げは発生しないが、多くの物品を吊るすことができない。このため、係止具は引掛棒が横並びのものと、縦並びのものとの２種類のものを用意する必要が起きる。しかし、２種類の固定具を用意し、必要に応じて区別して使用しなければならないというのは、甚だ煩瑣である。
【先行技術文献】
【特許文献】
【０００８】
【特許文献１】特開平２−１４０１０９号公報
【発明の概要】
【発明が解決しようとする課題】
【０００９】
この発明は、上述の煩瑣を解消しようとしてなされたものである。すなわち、引掛棒を縦に並べた係止具と、横に並べた係止具との２種類の係止具を使用しないで、ただ１種類の係止具を用意しただけで、引掛棒を横に並べることもでき、縦に並べることもできるようにして、上述の煩瑣を解消しようとするものである。
【課題を解決するための手段】
【００１０】
この発明者は、上述の係止具を作る場合、引掛棒は別にして、爪片を基板とともに硬質の合成樹脂で一体に成形するようにすると、爪片の基板に接続する部分の肉厚を増すことが容易となるため、爪片を基板に容易に強固に固定できることとなり、従って、係止具の固定方法として爪片を横向きにして係止板の孔内に挿入して、充分安定に固定できることを見出した。また、これまで爪片を基板と一体に硬質合成樹脂を材料として作られてきた係止具の大部分は、爪片を下に向けた状態だけでなく、爪片を横に向けた状態でも係止板に固定できることを見出した。従って、このような係止具では爪片を縦に向けても横に向けても係止板に安定に固定できるから、１つの基板に引掛棒を縦に並べたものと、横に並べたものとの２種類を用意する必要がなく、１つの係止具で足りることを見出した。この発明は、このような知見に基づいて完成されたものである。
【００１１】
但し、引掛棒の先端が斜め上向きに傾斜している場合には、この引掛棒の向きを変える必要がある。このために、引掛棒は、基板から取り外しできるようにして、引掛棒を９０度回転させた状態でも、簡単に基板に固定できるようにする必要がある。
【００１２】
そのための手段として、引掛棒は基板への挿通部外面を非円形にし、他方、基板には引掛棒の挿通部を通過させる貫通孔を設け、貫通孔を正規の状態で挿通して固定できることは言うまでもなく、引掛棒を９０度回転させた状態でも挿通して固定できるようにすることとした。ここで、正規の状態と言うのは、引掛棒の先端の傾斜する方向が、爪の向く方向と正反対になっている状態を指している。また引掛棒の挿通部外面を非円形にすると言うのは、挿通部を断面正方形にしたり、丸棒の外面に直径方向に突出した回り止めを付設することである。
【００１３】
これに対応して、基板では貫通孔を同じ断面正方形にしたり、丸孔の周りに十字状の切り込みを設けることによって、引掛棒を９０度だけ回転させた状態で、引掛棒を挿通し固定することができる。
引掛棒が基板から抜けることを防ぐために、引掛棒の挿通部の端にはねじを切り、ナットをはめて基板に固定する。
【００１４】
また係止具が爪片を横に向けて係止板に固定されているときは、係止具を固定時とは逆方向に横へ移動させると、係止具が係止板から離脱することになる。このために基板に止め孔を設け、この孔に止めねじを差し込んで、ねじの先を係止板の孔内へ突出させて、係止具の移動を防ぐこととする。
【００１５】
この発明は、多数の孔が等間隔に縦横に並んで穿設されている係止板と、孔に係止される爪片を少なくとも２個備えた係止具とからなる懸吊具において、係止具を基板と引掛棒とで構成し、基板は１つの面上に上記爪片を同じ方向に向けて突出させた状態で、硬質の合成樹脂を材料として一体に成形されたものであり、基板は貫通孔を備えて引掛棒を取り外し可能に挿通させており、引掛棒の挿通部外面を非円形にし、基板の貫通孔を引掛棒が正規の状態と、これから９０度だけ回転した状態との２つの状態で挿通固定できる形状にして、爪片を下に向けた状態でも横に向けた状態でも係止板に固定可能とし、基板には止め孔を設けて爪片が横に向いた状態のとき、止め孔にねじを通して係止板の孔内に突出させて移動止めとすることを特徴とする、懸吊具を提供するものである。
【００１６】
また、この発明は、懸吊具における係止具を提供するものである。その係止具は、基板と引掛棒とで構成される係止具であって、基板は１つの面上に少なくとも２個の爪片を同じ方向に向けて突出させた状態で、硬質の合成樹脂を材料として一体に成形したものであり、基板は貫通孔を備えて引掛棒を取り外し可能に挿通させており、引掛棒の挿通部外面を非円形にし、基板の貫通孔を引掛棒が正規の状態と、これから９０度かで回転した状態との２つの状態で、挿通固定できる形状にするとともに、基板には止め孔を設けたことを特徴とするものである。
【発明の効果】
【００１７】
この発明では、２個以上の爪片が基板の１つの面上で、先を同じ方向に向けて突出した状態で、硬質の合成樹脂を材料として一体に成形されたものを係止具とするから、爪片を強固に基板に付設することができる。そのため、爪片を下に向けた状態だけでなく、爪片を横に向けた状態にしても、爪片を係止板の孔に安定な状態で強固に固定することができる。従って、係止具に複数個の引掛棒を付設すると、同じ係止具で引掛棒を縦並びにも、横並びにもすることができる。これにより引掛棒に効率よく、容易に色々な物品を吊るしておくことができる。
【００１８】
また、この発明では、引掛棒を基板から取り外し可能にし、引掛棒の基板への挿通部外面を非円形にし、基板には引掛棒の挿通部を通過させる貫通孔を設け、貫通孔を引掛棒が正規の状態でも、またこれから９０度回転した状態でも、挿通可能にしたから、必要により、引掛棒を基板から取り外して、引掛棒の先を上方に向かって傾斜させることができる。従って、引掛棒は横並びにも縦並びにも適応した状態に容易に変えることができる。
【００１９】
また、この発明では引掛棒の挿通部の端にねじを設けたから、これにナットを嵌めることにより、引掛棒が基板から抜け出ることを防ぐことができる。また、この発明では基板に止め孔を設け、止め孔に移動防止の止めねじを設けることとしたから、爪片を横に向けて係止板の孔に固定しても、係止具が係止板から外れることがない。
【図面の簡単な説明】
【００２０】
【図１】公知の懸吊具の傾斜図である。
【図２】図１で用いられている係止具の裏面がわの斜視図である。
【図３】この発明に係る懸吊具の一部切欠斜視図である。
【図４】この発明に係る係止具の斜視図である。
【図５】図４におけるＰ−Ｐ線断面図である。
【図６】図４及び図５の係止具で用いられている引掛棒の斜視図である。
【図７】図６に示した引掛棒３を挿通させるために基板に設けられた貫通孔の形状を示した斜視図である。
【図８】図４に示した係止具の爪片６を横向きにして係止板１に固定したときの係止板裏側の斜視図である。
【図９】この発明で用いることのできる他の引掛棒の斜視図である。
【図１０】この発明で用いることのできる他の係止具の斜視図である。
【発明を実施するための形態】
【００２１】
この発明に係る懸吊具は、図３に示したように係止板１と係止具３とで構成される。そのうちの係止板１は、多数の正方形の孔２が等しい間隔をおいて、縦と横とに並んで穿設されている金属板である。係止板１はパンチングメタル板と言われているものである。この発明で用いる係止板１は従来の係止板と変りがない。係止板１は、壁に固定されることが多いが、また作業台上に直立させたり、ワゴンの側面に付設したりして使用される。
【００２２】
この発明で用いられる係止具３は、図４に示したように基板４と、少なくとも２個の引掛棒５とで構成される。引掛棒５は、何れも基板４に取り外し可能に挿通されて、基板４の表面側へ突出している。また、基板４は裏側では１つの面上に少なくとも２個の爪片６を突出させている。爪片６は互いに等しい大きさのＬ字状体で、先を同じ方向に向けて基板４と一体に硬質合成樹脂で成形されている。
硬質の合成樹脂としては、硬質塩化ビニル、ポリカーボネート、ＡＢＳ樹脂、ポリアミド、ポリエチレンテレフタレート、ポリオレフィン等を用いることができる。
【００２３】
図４に示した係止具３は、基板４と引掛棒５とで構成されている。基板４は長方体の箱形とされ、箱の開口面にあたる平面の長手方向の両端に樹脂で一体に成形された爪片６、６を備えている。２つの爪片６、６は何れも同形同大のＬ字状からなり、同じ方向に向き、箱の長手方向に向かって開いている。箱の底にあたる部分には、引掛棒５を挿通するための孔があけられ、箱の内部には引掛棒５の端を止めるためのナット５２が付設できるようになっている。
【００２４】
係止板１に穿設された正方形の孔２の１辺の長さをＸとすると、図４に示す爪片６の幅Ｗは０．７〜０．９５Ｘの範囲内にあることが好ましい。また、爪片６の長さＬは０．３〜０．７Ｘの範囲内にあることが好ましい。また、爪片６と基板４との間の間隔Ｍは、係止板１の厚みをＴとすると１．３〜２Ｔの間にあることが好ましい。また、基板４につながる爪片６の基部の厚みは係止板の厚みＴの２倍以上にすることが必要であって、４倍以下とすることが好ましく、とくに３倍以下とすることが好ましい。
【００２５】
図４において、引掛棒５の中心軸を通り、基板４の長手方向に垂直な平面Ｐで基板４を切断すると、その切断面は図５に示したようになっている。引掛棒５は基板４を貫通して延び、引掛棒５の挿通端に設けられたねじ５１にはナット５２が付設されて、引掛棒５の脱出を防いでいる。ナット５２を外すことにより、引掛棒５は基板４から取り外しできるようになっている。
【００２６】
引掛棒５は、図６に示したような構造とされる。引掛棒５は丸棒で構成され、基板４への挿通端にはねじ５１が切られている。ねじ５１に近接して丸棒の直径方向に突出する１対の回り止め５３が付設されている。回り止め５３は丸棒をプレスで押圧して形成することが好ましい。また、引掛棒５の他端にはキャップ５４が付設されて、引掛けられた物品が引掛棒から落下することを防いでいる。
【００２７】
基板４には引掛棒５を貫通させるために孔が設けられている。その孔は図７に示したように、引掛棒５の丸棒部分を貫通させるための円形孔４１と、円形孔４１の中心を通る十字状の切り込み４２とで構成されている。切り込み４２は引掛棒５の回り止め５３を挿通させて、引掛棒が基板４に対して回転することを防いでいる。切り込み４２は十字状にされているから、引掛棒を正規の状態から９０度だけ回転させた状態で同じ孔に挿通することができ、この状態で引掛棒を固定することができる。
【００２８】
こうして、図４に示した係止具３は、引掛棒５が横に並んだ横長の状態にして、爪片６を係止板１の孔２内に挿入し、基板４を爪片６の開いている方向へズラして、爪片６と基板４との間へ孔２の縦縁を挟み込むことにより、係止板１に固定して図３中符号３で示した状態で固定することができる。但し、この場合には、さきにズラしたのと反対方向に基板を移動させると、係止具３は係止板１から外れる恐れがある。
【００２９】
そこで、外れるのを防ぐために基板４には図４に示したように爪片６に近接して止め孔４３を設けておく。爪片６を横方向に向けて基板４をズラしたときは、係止板１の裏面では係止具３は図８に点線で示した位置にあって、爪片６は孔２内で左寄りの位置を占め、爪片６の右側は基板４の裏面が露出している。止め孔４３は丁度この露出部分に設けられているので、止め孔４３に止めねじ４４を嵌め、ねじ４４の先端を孔２内に突出させることにより、爪片６が孔２から脱出するのを防ぐようにする。こうして係止具３を係止板１に安定した状態で固定することができる。
【００３０】
図４に示した係止具３を縦長にして、図３に符号３´で示した状態にして使用するには次のようにする、まず、図５に示したナット５２を外し、引掛棒５を基板４から抜いて、引掛棒５をその軸の回りに９０度だけ回転させて、キャップ５４を爪片６が開いている方向と逆向きに傾斜させてナット５２を付設する。その後、爪片６を係止板１の孔２内に挿入し、爪片６と基板との間に孔２の下縁を挿入することにより、係止具３を縦長にして容易に係止板１に固定することができる。
【００３１】
こうして図４に示した係止具は、引掛棒を横並びの状態にして、また縦並びの状態にして使用することができる。従って、図４に示した係止具３は、２種類の固定具を用意する必要がないので便利である。
【００３２】
引掛棒は図６に示したもののほか、図９に示した引掛棒５０を使用することができる。図９の引掛棒５０は、横断面が正方形の棒で構成されている。一端にねじ５１が切られ、他端にキャップ５４が被せられている。図９に示した引掛棒５０が使用されるときは、基板４の挿通孔４１は断面を正方形の孔とすべきとは言うまでもない。
【００３３】
また、係止具は図４に示したもののほか、図１０に示した係止具３０を用いることができる。係止具３０では、基板４０に２組の上下に並ぶ爪片６が突設され、また基板４０には三角形の頂点にあたるところに各々１個の引掛棒５が挿通できるようになっている。係止具３０は、上述の点で異なるだけで、その他の点では係止具３と同じである。なお、図１０中４４は爪片６を横向きにして係止具３０を係止板に固定したとき、爪片６が孔２から外れることを防止するための止めねじである。
【符号の説明】
【００３４】
Ａ、１            係止板
Ｂ、３、３０      係止具
Ｃ、２            孔
Ｄ、４、４０      基板
Ｅ、５、５０      引掛棒
Ｆ、６            爪片
４１              円形孔
４２             切り込み
４３             止め孔
４４             止めねじ
５１             ねじ
５２             ナット
５３             回り止め
５４             キャップ
Ｘ               孔２の一辺の長さ
Ｗ               爪片６の幅
Ｌ               爪片６の長さ
Ｍ               爪片６と基板４との間隔
Ｎ               爪片６の基部の厚み
Ｔ               係止板１の厚み
【図１】
2011083346.tif 000003
【図２】
2011083346.tif 000004
【図３】
2011083346.tif 000005
【図４】
2011083346.tif 000006
【図５】
2011083346.tif 000007
【図６】
2011083346.tif 000008
【図７】
2011083346.tif 000009
【図８】
2011083346.tif 000010
【図９】
2011083346.tif 000011
【図１０】
2011083346.tif 000012